(57)【特許請求の範囲】
【請求項１】
予め写真フィルムが装填されたレンズ付きフイルムユニットと、このレンズ付きフイルムユニットを内部に収納して互いに結合される略矩形状をした２個のケース部材からなる防水ケースとから構成され、前記それぞれのケース部材の結合面にはその一方に矩形枠状の凸条、他方にはリング状の弾性部材が圧入されるとともに前記凸条が入り込む矩形枠状の凹溝が形成され、組立時における前記弾性部材のコーナー部分の断面積減少に合わせて、前記凹溝に前記弾性部材が圧入される圧入幅が、コーナー部分ではそれ以外の部分よりも狭く形成されていることを特徴とする防水型レンズ付きフイルムユニット。
【発明の詳細な説明】
【０００１】
【発明の属する技術分野】
本発明は、防水型レンズ付きフイルムユニットに関するものである。
【０００２】
【従来の技術】
予めフイルムが装填された状態で販売されているレンズ付きフイルムユニットは、撮影後はフイルムを取り出すことなく、そのままの状態で現像取扱店に出せばよいという簡便さと安価なことから、一般に広く利用されている。このようなレンズ付きフイルムユニットを水中でも利用できるようにする目的で、水密構造にした防水ケースにレンズ付きフイルムユニットを収納し、防水ケースの外から撮影操作ができるようにした防水型レンズ付きフイルムユニット「写ルンです防水」等（商品名）が本出願人から市販されている。
【０００３】
上記防水型レンズ付きフイルムユニットに用いられている防水ケースは、背面の開口からレンズ付きフイルムユニットを収納するプラスチック製のケース本体と、このケース本体の背面の開口を塞ぐ蓋とから構成されているが、この防水ケースの水密性を高めるために、ケース本体と蓋との結合面には、その一方に矩形枠状の凸条、他方にはゴムやエラストマーからなるＯリングが圧入されるとともに前記凸条が入り込む矩形枠状の凹溝が形成されている。これにより、ケース本体に蓋を取り付ける際に、凸条がＯリングを押し潰し、凸条と凹溝との間に生じる隙間にＯリングが密着して外部からの気液や異物の進入を防止する。
【０００４】
【発明が解決しようとする課題】
しかしながら、上記防水ケースでは、矩形枠状の凹溝にＯリングが圧入されたとき、その矩形枠状のコーナー部分においてＯリングが伸びて、その部分の断面積が小さくなるが、Ｏリングが圧入される凹溝は、コーナー部分も、その他の部分も、全て同じ幅に形成されており、Ｏリングの断面積が減少した箇所に隙間が生じて、そこから防水ケース内部へ気液や異物の侵入を受ける可能性がある。このため、コーナー部分の水密性は、その他の部分よりも劣ることになる。
【０００５】
本発明は上記事情を考慮してなされたもので、防水ケースの水密性を高めた防水型レンズ付きフイルムユニットを提供することを目的とする。
【０００６】
【課題を解決するための手段】
上記問題点を解決するために、本発明の防水型レンズ付きフイルムユニットでは、予め写真フィルムが装填されたレンズ付きフイルムユニットと、このレンズ付きフイルムユニットを内部に収納して互いに結合される略矩形状をした２個のケース部材からなる防水ケースとから構成され、前記それぞれのケース部材の結合面にはその一方に矩形枠状の凸条、他方にはリング状の弾性部材が圧入されるとともに前記凸条が入り込む矩形枠状の凹溝が形成され、組立時における前記弾性部材のコーナー部分の断面積減少に合わせて、前記凹溝に前記弾性部材が圧入される圧入幅が、コーナー部分ではそれ以外の部分よりも狭く形成されている。
【０００７】
【発明の実施の形態】
図３は本発明の防水型レンズ付きフイルムユニット２の外観形状を示す斜視図である。防水型レンズ付きフイルムユニット２は、撮影機構を内蔵したレンズ付きフイルムユニット３と、このレンズ付きフイルムユニット３を収納する防水ケース４とから構成されている。防水ケース４の前面中央部には、レンズ付きフイルムユニット３の撮影レンズ５と対物側ファインダ窓６とを外部に露呈させるための透明部である前面露呈部７が設けられている。
【０００８】
前面露呈部７の左側方には、シャッタレリーズを行うためのシャッタレバー９が、右側方にはストロボ回路を外部からオンにするためのプッシュ式のストロボ操作部材１０と、ストロボ光を被写体に向けて放射するための透明部であるストロボ露呈部１１とが設けられている。
【０００９】
防水ケース４の上面には、フィルム１コマ巻き上げ時に回動操作される巻き上げダイヤル８が水密に取り付けられ、残り撮影枚数を表示するカウンタ窓を外部に露呈させる透明部である上面露呈部１２が設けられている。
【００１０】
図４に示すように防水ケース４は、略矩形のケース本体１３、及びケース裏蓋１４とから構成される。ケース本体１３は、背後からレンズ付きフイルムユニット３を収納するための開口１７が形成され、レンズ付きフイルムユニット３の前面、上面、底面、両側面を覆う。そして、レンズ付きフイルムユニット３の背後から開口１７を塞ぐようにして、ケース本体１３とケース裏蓋１４とが結合される。
【００１１】
ケース本体１３には、開口１７の外周に、矩形枠状の凸条１８（図２参照）が一体に形成されており、ケース裏蓋１４の周縁には、矩形枠状の凹溝１９が形成されている。ケース裏蓋１４とケース本体１３とが結合されるときには、凹溝１９にＯリング１５が圧入されるとともに、そのＯリング１５を押し潰すようにして凸条１８が凹溝１９に嵌入して、開口１７が塞がれる。
【００１２】
Ｏリング１５は、凸条１８及び凹溝１９に対応して、矩形枠状に形成されており、防水ケース４に取り付けられる前の状態では、全ての部分において、断面積は同一である。
【００１３】
図２の要部断面図に示すように、ケース本体１３は、透明なプラスチックからなる内部層２１と、エラストマーからなる外部層２２とが２色成形により一体に成形されている。外部層２２の一部には開口が形成され、そこから露呈した透明な内部層２１が、上述した前面露呈部７等の露呈部分を形成している。また、外部層２２を構成するエラストマーは、ゴム状弾性を有する高分子物質であり、防水ケース４の防水と滑り止めを行う。なお、ケース本体１３の前面に設けられているストロボ操作部材１０（図３及び４参照）は、内部層２１に開口が形成され、その開口の上を外部層２２のエラストマーで覆った形態となっている。そのため、弾性変形可能なエラストマーを介して、防水ケース４の外側から押圧部２３を押圧することができる。
【００１４】
ケース裏蓋１４は、透明なプラスチックで形成されており、レンズ付きフイルムユニット３の背面側に設けられた対物側ファインダ窓（図示せず）をケース裏蓋１４を介して外部から観察できるようになっている。図４に示すように、ケース裏蓋１４の前面側の両側片には、被係止穴２５がそれぞれ形成された被係止片２６が２個ずつ設けられている。これら被係止片２６は、ケース本体１３の側面内壁に形成された係止爪２７（図２参照）に係合される。これにより、ケース裏蓋１４はケース本体１３にしっかりと結合する。
【００１５】
図１はケース裏蓋１４の前面側から見た図であり、このケース裏蓋１４の外周には、矩形枠状の凹溝１９が形成されている。この凹溝１９の幅は、凸条１８の厚みとＯリング１５の断面直径とを合わせた厚みよりも狭く形成されているため、Ｏリング１５が凹溝１９の内部で潰れて、凸条１８及び凹溝１９に密着する。
【００１６】
図１において、凹溝１９の内側（２点鎖線内側）には、凸条１８が嵌め込まれるため、Ｏリング１５が潰れて圧入されるのは２点鎖線の外側部分である。この２点鎖線の外側部分の幅、つまりＯリング１５が圧入される圧入幅ｔ（図２参照）について、コーナー部分１９ａでＯリング１５が圧入される圧入幅ｔ１と、直線部分１９ｂでＯリング１５が圧入される圧入幅ｔ２とを比較すると、ｔ１＜ｔ２となる。この違いは、ケース本体１３とケース裏蓋１４とを結合させるときに、Ｏリング１５の全ての部分が同様の圧力を受けて圧入されるために設けられている。
【００１７】
防水型レンズ付きフイルムユニット２の組立は、先ず、ケース本体１３背面の開口１７から、レンズ付きフイルムユニット３を入れて、レンズ付きフイルムユニット３の前面側が、ケース本体１３の内面側に当接するまで押し込む。
【００１８】
次に凸条１８の外側にＯリング１５を掛け、凹溝１９へ、Ｏリング１５を圧入させるとともに、凸条１８を嵌め込ませて、ケース裏蓋１４とケース本体１３とを結合させる。このとき、Ｏリング１５に対して凸条１８及び凹溝１９が与える応力は、直線部分１９ｂの中心付近に集中するため、Ｏリング１５はコーナー部分１９ａの付近が徐々に引っ張られていく。このため、Ｏリング１５は、直線部分１９ｂに圧入されている箇所の断面積よりも、コーナー部分１９ａに圧入されている箇所の断面積が減少する。
【００１９】
コーナー部分１９ａでＯリング１５の断面積が減少することに対応するため、上述したように、凹溝１９において、直線部分１９ｂの圧入幅ｔ2 よりも、コーナー部分１９ａの圧入幅ｔ1 が狭くなっている。これによって、Ｏリング１５は、断面積が減少したコーナー部分１９ａ付近でも、直線部分１９ｂと同様の圧力を受けて押し潰され、凸条１８及び凹溝１９に密着して、防水ケース４の内部を確実に防水する。
【００２０】
上記実施形態では、防水ケースは、レンズ付きフイルムユニットの前後に分割される２つのケース部材から構成されるが、本発明はこれに限定されるものではなく、上下、左右等に分割される場合や、３個以上に分割されるケース部材で構成される防水ケース等にも適用される。
【００２１】
【発明の効果】
以上のように、本発明の防水型レンズ付きフイルムユニットによれば、防水ケースを構成する２個のケース部材の結合面には、その一方に矩形枠状の凸状、他方にはリング状の弾性部材が圧入されるとともに前記凸条が入り込む矩形枠状の凹溝が形成され、この凹溝は、矩形枠状のコーナー部分での断面積が他の部分よりも狭くなっている。これにより、前記弾性部材が変形し、コーナー部分での断面積が減少した場合でも、凸条と凹溝との間に生じる隙間を塞いで、外部からの気液や異物の進入を防止することができる。
【図面の簡単な説明】
【図１】本発明の防水型レンズ付きフイルムユニットの要部の外観斜視図である。
【図２】本発明の防水型レンズ付きフイルムユニットの要部の断面図である。
【図３】本発明の防水型レンズ付きフイルムユニットの外観斜視図である。
【図４】図３に示すレンズ付きフイルムユニットの分解斜視図である。
【符号の説明】
２  防水型レンズ付きフイルムユニット
３  レンズ付きフイルムユニット
４  防水ケース
１３  ケース本体
１４  ケース裏蓋
１５  Ｏリング
１７  開口
１８  凸条
１９  凹溝
１９ａ  コーナー部分
１９ｂ  直線部分
【図１】
0003976296.tif 000002
【図２】
0003976296.tif 000003
【図３】
0003976296.tif 000004
【図４】
0003976296.tif 000005